(57)【要約】【課題】高い安全性および信頼性を発揮することができる蓄電システム等を提供すること。【解決手段】蓄電システム１０００は、筐体１１と、内部結露センサ１２（内部結露検出部）と、呼吸口１３と、制御部１８を備えている。筐体１１は、蓄電池５１を密閉して収容する。内部結露センサ１２は、筐体１１内の結露を検出する。呼吸口１３は、筐体１１に開閉可能に設けられている。制御部１８は、内部結露センサ１２の検出結果に基づいて、呼吸口１３を開閉する。【選択図】      図１
2017068941.tif 000002
【特許請求の範囲】
【請求項１】
蓄電池を密閉して収容する筐体と、
前記筐体内の結露に関する情報を検出する内部結露検出部と、
前記筐体に開閉可能に設けられた呼吸口と、
前記内部結露検出部の検出結果に基づいて、前記呼吸口を開閉する制御部を備えた蓄電システム。
【請求項２】
前記呼吸口に取り付けられ、前記筐体内の空気を前記筐体外へ排出する換気扇を備え、
前記制御部は、前記内部結露検出部の検出結果に基づいて、前記呼吸口を開き、前記換気扇を作動させる請求項１に記載の蓄電システム。
【請求項３】
前記筐体内の空気を加熱する加熱部を備え、
前記制御部は、前記内部結露検出部の検出結果に基づいて、前記呼吸口を開き、前記加熱部を作動させる請求項１に記載の蓄電システム。
【請求項４】
前記呼吸口に取り付けられ、前記筐体内の空気を前記筐体外へ排出する換気扇と、
前記筐体内の空気を加熱する加熱部を備え、
前記制御部は、前記内部結露検出部の検出結果に基づいて、前記呼吸口を開き、前記換気扇を作動させ、前記加熱部を作動させる請求項１に記載の蓄電システム。
【請求項５】
前記筐体内の空気を加熱する加熱部と、
前記筐体外の結露に関する情報を検出する外部結露検出部とを備え、
前記制御部は、前記外部結露検出部の検出結果に基づいて、前記加熱部を動作させた後に、前記内部結露検出部の検出結果に基づいて、前記呼吸口を開く請求項１に記載の蓄電システム。
【請求項６】
前記筐体内の空気を加熱する加熱部と、
前記筐体外の結露に関する情報を検出する外部結露検出部と、
前記呼吸口に取り付けられ、前記筐体内の空気を前記筐体外へ排出する換気扇とを備え、
前記制御部は、前記外部結露検出部の検出結果に基づいて、前記加熱部を動作させた後に、前記内部結露検出部の検出結果に基づいて、前記呼吸口を開き、前記換気扇を作動させる請求項１に記載の蓄電システム。
【請求項７】
前記筐体内に溜まる溜水の水位を検知する水位検出部と、
前記筐体の鉛直下方に開閉可能に設けられ、前記溜水を前記筐体内か前記筐体外へ排出するドレインとを備え、
前記制御部は、前記水位検出部の検出結果に基づいて、前記ドレインを開閉する請求項１〜６のいずれか１項に記載の蓄電システム。
【請求項８】
蓄電池を密閉して収容する筐体内の結露に関する情報を検出する内部結露検出ステップと、
前記内部結露検出ステップの検出結果に基づいて、前記筐体に開閉可能に設けられた呼吸口を開閉する呼吸口開閉ステップとを含む蓄電制御方法。
【請求項９】
蓄電池を密閉して収容する筐体内の結露に関する情報を検出する内部結露検出ステップと、
前記内部結露検出ステップの検出結果に基づいて、前記筐体に開閉可能に設けられた呼吸口を開閉する呼吸口開閉ステップとを含む処理をコンピュータに行わせる蓄電制御プログラム。
【請求項１０】
蓄電池を密閉して収容する筐体内の結露に関する情報を検出する内部結露検出ステップと、
前記内部結露検出ステップの検出結果に基づいて、前記筐体に開閉可能に設けられた呼吸口を開閉する呼吸口開閉ステップとを含む処理をコンピュータに行わせる蓄電制御プログラムを記憶する記憶媒体。
【発明の詳細な説明】
【技術分野】
【０００１】
本発明は、蓄電システム等に関し、例えば、筐体内に蓄電池を密閉して収容するものに関する。
【背景技術】
【０００２】
蓄電システムは、様々な電子機器へ電力を供給する蓄電池を搭載する。一般的な蓄電システムのうちで屋内に設置されるものは、筐体に対して防湿対策が施されていることが少ない。一方、一般的な蓄電システムのうちで屋外に設置されるものは、筐体に対して防湿対策が施されていることもあるが、仕様において基本的には結露を容認することはない。
【０００３】
ところが、たとえば、家庭の水回り（たとえば、洗面所、洗濯機の排水口付近、浴室、トイレ、キッチンシンク）で使用される電子機器の仕様では、結露を容認することが要求される場合もある。
【０００４】
ただし、結露に対する対策が不十分であった場合、蓄電池は結露によって電池が腐食し、電池の不良や漏電が生じるおそれもある。結露が生じるおそれがある場所で使用される電子機器では、筐体を密閉することが前提となっている。
【０００５】
なお、本発明に関連する発明が、特許文献１および特許文献２に開示されている。
【先行技術文献】
【特許文献】
【０００６】
【特許文献１】特開２０１２−２４８４５２号公報
【特許文献２】特開２０１２−０５４０３２号公報
【発明の概要】
【発明が解決しようとする課題】
【０００７】
しかしながら、筐体を単に密閉するだけでは、十分な放熱を行えず、蓄電池の劣化を招くという問題があった。この問題は、とくに、大きな電力を出力する蓄電システムの場合に顕著となる。
【０００８】
本発明は、このような事情を鑑みてなされたものであり、本発明の目的は、蓄電池に結露が生じうる環境においても、高い安全性および信頼性を発揮することができる蓄電システム等を提供することにある。
【課題を解決するための手段】
【０００９】
本発明の蓄電システムは、蓄電池を密閉して収容する筐体と、前記筐体内の結露に関する情報を検出する内部結露検出部と、前記筐体に開閉可能に設けられた呼吸口と、前記内部結露検出部の検出結果に基づいて、前記呼吸口を開閉する制御部を備えている。
【００１０】
本発明の蓄電制御方法は、蓄電池を密閉して収容する筐体内の結露に関する情報を検出する内部結露検出ステップと、前記内部結露検出部の検出結果に基づいて、前記筐体に開閉可能に設けられた呼吸口を開閉する呼吸口開閉ステップとを含んでいる。
【００１１】
本発明の蓄電制御プログラムは、蓄電池を密閉して収容する筐体内の結露に関する情報を検出する内部結露検出ステップと、前記内部結露検出部の検出結果に基づいて、前記筐体に開閉可能に設けられた呼吸口を開閉する呼吸口開閉ステップとを含む処理をコンピュータに行わせる。
【００１２】
本発明の記憶媒体は、蓄電池を密閉して収容する筐体内の結露に関する情報を検出する内部結露検出ステップと、前記内部結露検出部の検出結果に基づいて、前記筐体に開閉可能に設けられた呼吸口を開閉する呼吸口開閉ステップとを含む処理をコンピュータに行わせる蓄電制御プログラムを記憶する。
【発明の効果】
【００１３】
本発明にかかる蓄電システム等によれば、高い安全性および信頼性を発揮することができる蓄電システム等を提供することができる。
【図面の簡単な説明】
【００１４】
【図１】本発明の第１の実施の形態における蓄電システムの構成を模式的に示す透過図である。
【図２】本発明の第１の実施の形態における蓄電システムの動作フローを示す図である。
【図３】本発明の第２の実施の形態における蓄電システムの構成を模式的に示す透過図である。
【図４】本発明の第２の実施の形態における蓄電システムの動作フローを示す図である。
【図５】本発明の第３の実施の形態における蓄電システムの構成を模式的に示す透過図である。
【図６】本発明の第３の実施の形態における蓄電システムの動作フローを示す図である。
【図７】本発明の第４の実施の形態における蓄電システムの構成を模式的に示す透過図である。
【図８】本発明の第４の実施の形態における蓄電システムの動作フローを示す図である。
【発明を実施するための形態】
【００１５】
＜第１の実施の形態＞
図１は、本発明の第１の実施の形態における蓄電システム１０００の構成を模式的に示す透過図である。図１には、鉛直方向Ｇを示す。
【００１６】
図１に示されるように、蓄電システム１０００は、筐体１１と、内部結露センサ１２と、呼吸口１３と、換気扇１４と、加熱部１５と、内部温度センサ１６と、外部温度センサ１７と、制御部１８と、防水シール１９と、スイッチＳＷ１と、スイッチＳＷ２とを備えている。また、筐体１１内には、蓄電池ユニット５００が搭載されている。なお、外部温度センサ１７は、本発明の外部温度検出部に対応する。
【００１７】
説明の便宜上、まず、蓄電池ユニット５００の構成について、説明する。蓄電池ユニット５００は、複数セルの蓄電池５１と、電極接続部材５２と、プラス（＋）端子５３と、マイナス（−）端子５４と、スイッチＳＷ３とを備えている。図１では、蓄電池５１は、１セル単位で示している。また、図１では、３セルの蓄電池５１が蓄電池ユニット５００に含まれているとした。しかしながら、１セル以上の蓄電池５１が蓄電池ユニット５００に含まれていればよい。
【００１８】
図１に示されるように、各蓄電池５１は、加熱部１５の鉛直方向Ｇの上方に設けられている。各蓄電池５１の上面には、プラス電極５１１と、マイナス電極５１２が設けられている。蓄電池５１は、たとえば、リチウムイオン電池である。
【００１９】
図１に示されるように、電極接続部材５２は、各蓄電池５１間を電気的に接続する。具体的には、図１紙面左端の蓄電池５１のマイナス電極５１２と、図１紙面中央の蓄電池５１のプラス電極５１１は、電極接続部材５２により、電気的に接続されている。また、図１紙面中央の蓄電池５１のマイナス電極５１２と、図１紙面右端の蓄電池５１のプラス電極５１１は、電極接続部材５２により、電気的に接続されている。
【００２０】
図１に示されるように、プラス（＋）端子５３は、筐体１１の外部に設けられている。プラス（＋）端子５３は、図１紙面左端の蓄電池５１のプラス電極５１１に、電気的に接続されている。
【００２１】
図１に示されるように、マイナス（−）端子５４は、図１紙面右端の蓄電池５１のマイナス電極５１２に、電気的に接続されている。
【００２２】
このように、蓄電池５１の各セルが、プラス（＋）端子５３およびマイナス（−）端子５４に、電気的に接続される。
【００２３】
なお、プラス電極５１１、マイナス電極５１２および電極接続部材５２は、撥水性を有する部材により形成されている。たとえば、銅や銅合金やアルミニウムやアルミニウム合金を、プラス電極５１１、マイナス電極５１２および電極接続部材５２に用いることができる。これにより、プラス電極５１１、マイナス電極５１２および電極接続部材５２で漏電することを抑止することができる。または、プラス電極５１１、マイナス電極５１２および電極接続部材５２は、ニッケルメッキまたは金メッキが施されている。これにより、プラス電極５１１、マイナス電極５１２および電極接続部材５２で漏電することを抑止することができる。なお、プラス電極５１１およびマイナス電極５１２は、本発明の電極に対応する。
【００２４】
図１に示されるように、スイッチＳＷ３は、プラス（＋）端子５３および図１紙面左端の蓄電池５１の間に、設けられている。より具体的には、スイッチＳＷ３は、プラス（＋）端子５３と、図１紙面左端の蓄電池５１のプラス電極５１１との間に、設けられている。スイッチＳＷ３は、プラス（＋）端子５３と、図１紙面左端の蓄電池５１のプラス電極５１１の双方に、電気的に接続されている。スイッチＳＷ３は、制御部１８の制御により、各蓄電池５１への電力供給または電力供給停止を切り換える。すなわち、制御部１８がスイッチＳＷ３をオンにしたとき、プラス（＋）端子５３からマイナス（−）端子５４へ向けて電力が供給され、これに伴って、蓄電池５１の各セルにも電力が供給される。一方、制御部１８がスイッチＳＷ３をオフにしたとき、プラス（＋）端子５３からマイナス（−）端子５４へ向けた電力供給が停止され、これに伴って、蓄電池５１の各セルにも電力供給が停止される。
【００２５】
以上、蓄電池ユニット５００の構成について説明した。
【００２６】
次に、蓄電システム１０００の構成について、説明する。ここで、蓄電システム１０００は、高湿度（結露）環境下に配置されることが想定されて、構成されている。
【００２７】
図１に示されるように、筐体１１は、少なくとも蓄電池５１を密閉して収容する。ここでは、筐体１１は、蓄電池ユニット５００（プラス（＋）端子５３およびマイナス（−）端子５４を除く。）と、内部結露センサ１２と、加熱部１５と、内部温度センサ１６と、制御部１８と、スイッチＳＷ１と、スイッチＳＷ２とを密閉して収容する。筐体１１は、たとえば、アルミニウム合金等の金属部材や、ＡＢＳ（Acrylonitrile Butadiene Styrene：アクリロニトリル  ブタジエン  スチレン）樹脂部材により、形成されている。
【００２８】
図１に示されるように、内部結露センサ１２は、筐体１１内に収容されている。内部結露センサ１２は、制御部１８に接続されている。内部結露センサ１２は、制御部１８の制御の下で、筐体１１内の結露に関する情報（たとえば、湿度）を検出する。なお、内部結露センサ１２は、本発明の内部結露検出部に対応する。
【００２９】
図１に示されるように、呼吸口１３は、筐体１１に開閉可能に設けられている。呼吸口１３の開閉は、制御部１８により、制御される。吸気口１３は、筐体１１の鉛直方向Ｇの上方側に設けられている。これにより、吸気口１３を開いたときに、筐体１１内の暖気を効率よく筐体１１の外へ排出することができる。呼吸口１３は、たとえば、逆止弁により構成されている。
【００３０】
図１に示されるように、換気扇１４は、呼吸口１３に取り付けられている。換気扇１４は、スイッチＳＷ１を介して、制御部１８に接続されている。換気扇１４は、制御部１８の制御の下で、筐体１１内の空気を筐体１１外へ排出する。より具体的には、制御部１８がスイッチＳＷ３をオンにすると、換気扇１４が作動する。一方、制御部１８が、スイッチＳＷ３をオフにすると、換気扇１４が停止する。
【００３１】
図１に示されるように、加熱部１５は、筐体１１内に収容されている。加熱部１５は、筐体１１の下面（鉛直方向Ｇの下方側の面）側に設けられている。また、加熱部１５は、各蓄電池５１の鉛直方向Ｇの下方側に設けられている。加熱部１５は、制御部１８に接続されている。また、加熱部１５と、制御部１８の間には、スイッチＳＷ２が接続されている。加熱部１５は、制御部１８の制御の下で、筐体１１内の空気を加熱する。より具体的には、制御部１８がスイッチＳＷ２をオンにすると、加熱部１５が作動し筐体１１内の空気を加熱する。一方、制御部１８が、スイッチＳＷ２をオフにすると、加熱部１５が停止する。
【００３２】
図１に示されるように、内部温度センサ１６は、筐体１１内に収容されている。内部温度センサ１６は、制御部１８に接続されている。内部温度センサ１６は、制御部１８の制御の下で、筐体１１の内部の温度を検出する。なお、内部温度センサ１６は、本発明の内部温度検出部に対応する。
【００３３】
図１に示されるように、外部温度センサ１７は、筐体１１の外に設けられている。外部温度センサ１７は、制御部１８に接続されている。外部温度センサ１７は、制御部１８の制御の下で、筐体１１の外の温度を検出する。なお、外部温度センサ１７は、本発明の外部温度検出部に対応する。
【００３４】
図１に示されるように、制御部１８は、筐体１１内に収容されている。制御部１８は、内部結露センサ１２、呼吸口１３、換気扇１４、加熱部１５、内部温度センサ１６、外部温度センサ１７、ＳＷ２、ＳＷ３および外部コントローラーに、接続されている。たとえば、制御部１８は、各部を制御する。制御部１８は、内部結露センサ１２の検出結果に基づいて、呼吸口１３を開閉する。また、制御部１８は、内部結露センサ１２の検出結果に基づいて、換気扇１４を作動させる。制御部１８は、内部結露センサ１２の検出結果に基づいて、加熱部１５を作動させる。さらに、制御部１８は、外部コントローラーを制御する。外部コントローラーは、たとえば、蓄電システムコントローラや制御用ＰＣ（Personal Computer）等である。
【００３５】
図１に示されるように、防水シール１９は、筐体１１のうち、プラス（＋）端子５３に接続される配線の引き出し部に、取り付けられている。同様に、防水シール１９は、筐体１１のうち、マイナス（−）端子５４に接続される配線の引き出し部に、取り付けられている。さらに、防水シール１９は、筐体１１のうち、外部温度センサ１７および外部コントローラーへの信号配線の引き出し部に、取り付けられている。防水シール１９は、筐体１１内外をまたぐ各配線を通すために筐体１１に設けられた開口（不図示）を塞ぐ。これにより、筐体１１内外をまたぐ各配線が設けられても、筐体１１内を密閉状態にすることができる。したがって、通常の散水程度では、筐体１１内に水等が入らない。防水シール１９の材料には、筐体１１の気密性を確保できる材料を用いることができる。たとえば、ブチルゴム等や、合成ゴムや天然ゴム等の弾性部材が用いられる。
【００３６】
図１に示されるように、スイッチＳＷ１は、筐体１１内であって、吸気口１３付近の筐体１１に取り付けられている。スイッチＳＷ１は、制御部１８および換気扇１４に接続されている。スイッチＳＷ１は、制御部１８の制御により、換気扇１４の作動または停止を切り換える。すなわち、制御部１８がスイッチＳＷ１をオンにしたとき、換気扇１４が作動される。一方、制御部１８がスイッチＳＷ１をオフにしたとき、換気扇１４の作動が停止される。
【００３７】
図１に示されるように、スイッチＳＷ２は、筐体１１内に設けられている。スイッチＳＷ２は、制御部および加熱部１５に接続されている。スイッチＳＷ２は、制御部１８の制御により、加熱部１５の作動または作動停止を切り換える。すなわち、制御部１８がスイッチＳＷ２をオンにしたとき、加熱部１５が作動される。一方、制御部１８がスイッチＳＷ２をオフにしたとき、加熱部１５の作動が停止される。
【００３８】
以上、蓄電システム１０００の構成について、説明した。
【００３９】
つぎに、蓄電システム１０００の動作について、説明する。
【００４０】
図２は、本発明の第１の実施の形態における蓄電システム１０００の動作フローを示す図である。
【００４１】
図２に示されるように、まず、筐体１１の内外の温度を計測する（Ｓ１）。具体的には、内部温度センサ１６が、筐体１１の内部の温度を検出する。また、外部温度先亜１７が、筐体１１の外部の温度を検出する。このＳ１の処理は、システムの動作の有無にかかわらず、定期的に実施される。
【００４２】
つぎに、図２に示されるように、内部結露センサ１２の情報を入手する（Ｓ２）。具体的には、制御部１８が、内部結露センサ１２に対して、筐体１１内の結露（たとえば、湿度）に関する情報を検出させる指示を出力する。そして、内部結露センサ１２が、制御部１８の指示に従って、筐体１１内の結露の関する情報を検出し、検出結果を制御部１８へ出力する。そして、制御部１８は、予め指定された第１の規定値と、内部結露センサ１２の検出結果とを比較する（Ｓ３、Ｓ４）。なお、この第１の規定値には、結露が実際に発生する前段階の湿度（たとえば、湿度７５〜８５％）が、用いられる。
【００４３】
内部結露センサ１２の検出結果が第１の規定値よりも高い場合（Ｓ４）、制御部１８が、呼吸口１３に対して、呼吸口１３を開く指示を出力する（Ｓ５）。呼吸口１３は、制御部１８の指示に従って、開かれる。これにより、筐体１１の内外の空気を入れ換える準備が完了する。そして、筐体１１内の水蒸気が、呼吸口１３から筐体１１の外へ排出される。この結果、筐体１１内の結露の発生を抑制し、結露を低減することができる。
【００４４】
一方、内部結露センサ１２の検出結果が第１の規定値よりも低い場合（Ｓ３）、蓄電システム１０００は、Ｓ１およびＳ２の処理を繰り返す。
【００４５】
つぎに、制御部１８は、内部結露センサ１２の情報を入手し、モニタリングし、再度、内部結露センサ１２の検出結果と第１の規定値とを比較する（Ｓ６、Ｓ７）。
【００４６】
内部結露センサ１２の検出結果が第１の規定値よりも高い場合（Ｓ７）、制御部１８が、換気扇１４に対して、ＳＷ１を使って、作動させる指示を出力する（Ｓ８）。換気扇１４は、制御部１８の指示に従って、作動する。これにより、筐体１１内の水蒸気が、呼吸口１３から筐体１１の外へ強制的に排出される。この結果、筐体１１内の湿度を低減し、筐体１１内の結露の発生をさらに抑制し、結露をさらに低減することができる。なお、吸気口１３および換気扇１４は２つ設けられてもよい。たとえば、一方の吸気口１３および換気扇１４のセットを、筐体１１の内部から外部へ空気を排出するために、用いることができる。そして、他方の吸気口１３および換気扇１４のセットを、筐体１１の外部から内部へ空気を吸入するために、用いることができる。この際、除湿剤を介して、筐体１１の外部から内部へ空気を吸入することもできる。これにより、より効果的に、筐体１１内の湿度を低減し、筐体１１内の結露の発生を抑制し、結露を低減することができる。
【００４７】
一方、内部結露センサ１２の検出結果が第１の規定値よりも低い場合（Ｓ６）、制御部１８が、湿度制御を終了する（Ｓ１６）。
【００４８】
Ｓ８の処理を経た後、制御部１８は、再度、内部結露センサ１２の情報を入手し、モニタリングし、再度、内部結露センサ１２の検出結果と第１の規定値とを比較する（Ｓ１０）。
【００４９】
内部結露センサ１２の検出結果が第１の規定値よりも高い場合（Ｓ１０）、制御部１８が、加熱部１５に対して、ＳＷ２を使って、作動させる指示を出力する（Ｓ１１）。加熱部１５は、制御部１８の指示に従って、作動する。これにより、筐体１１内の水蒸気を加熱することができ、一部の水蒸気を蒸発させることができる。この結果、筐体１１内の水蒸気を低減しつつ、効率よく鉛直方向Ｇの上方に設けられた呼吸口１３へ筐体１１内の水蒸気を誘導することができる。したがって、筐体１１内の水蒸気が、より効率よく呼吸口１３から筐体１１の外へ強制的に排出される。このように、筐体１１内の湿度をさらに効率よく低減し、筐体１１内の結露の発生をさらに効率よく抑制し、結露をさらに低減することができる。
【００５０】
Ｓ１０の処理を経た後、制御部１８は、再度、内部結露センサ１２の情報を入手し、モニタリングし、再度、内部結露センサ１２の検出結果と第１の規定値とを比較する（Ｓ１２）。
【００５１】
内部結露センサ１２の検出結果が第１の規定値よりも低い場合（Ｓ１２）、制御部１８が加熱部１５の加熱を停止させる（Ｓ１３）。具体的には、制御部１８が、加熱部１５に対して、作動を停止させる指示を出力する（Ｓ１３）。加熱部１５は、制御部１８の指示に従って、加熱を停止する。
【００５２】
そして、制御部１８は、換気を終了させた後（Ｓ１４）、呼吸口１３を閉じて（Ｓ１５）、湿度制御を終了する（Ｓ１６）。具体的には、制御部１８が、換気扇１４に対して、ＳＷ１を使って、作動を停止させる指示を出力する。換気扇１４は、制御部１８の指示に従って、作動を停止する。また、制御部１８が、呼吸口１３に対して、呼吸口１３を閉じる指示を出力する。呼吸口１３は、制御部１８の指示に従って、閉じられる。
【００５３】
なお、本実施の形態において、換気扇１４および加熱部１５は、必ずしも必須ではない。この場合、図２のＳ８〜Ｓ１３は省略することができる。また、換気扇１４および加熱部１５のうち、加熱部１５のみを省略することもできる。この場合、図２のＳ１１〜Ｓ１３を省略することができる。さらに、換気扇１４および加熱部１５のうち、換気扇１４のみを省略することもできる。この場合、図２のＳ８〜Ｓ１０を省略することができる。
【００５４】
以上、蓄電システム１０００の動作について、説明した。
【００５５】
以上の通り、本発明の第１の実施の形態における蓄電システム１０００は、筐体１１と、内部結露センサ１２（内部結露検出部）と、呼吸口１３と、制御部１８を備えている。筐体１１は、蓄電池５１を密閉して収容する。内部結露センサ１２は、筐体１１内の結露に関する情報（たとえば、湿度）を検出する。呼吸口１３は、筐体１１に開閉可能に設けられている。制御部１８は、内部結露センサ１２の検出結果に基づいて、呼吸口１３を開閉する。
【００５６】
このように、内部結露センサ１２は、筐体１１内の結露に関する情報を検出する。呼吸口１３は、筐体１１に開閉可能に設けられている。そして、制御部１８は、内部結露センサ１２の検出結果に基づいて、呼吸口１３を開閉する。すなわち、たとえば、内部結露センサ１２によって湿度が所定値より高いと検出された際に、制御部１８は呼吸口１３を開く。この結果、筐体１１内の湿度を低減し、筐体１１内の結露の発生を抑制し、結露を低減することができる。したがって、蓄電システム１０００によれば、高い安全性および信頼性を発揮することができる。
【００５７】
また、本発明の第１の実施の形態における蓄電システム１０００は、換気扇１４を備えている。換気扇１４は、呼吸口１３に取り付けられ、筐体１１内の空気を筐体１１外へ排出する。制御部１８は、内部結露センサ１２の検出結果に基づいて、呼吸口１３を開き、換気扇１４を作動させる。
【００５８】
このように、制御部１８は、内部結露センサ１２の検出結果に基づいて、呼吸口１３を開き、換気扇１４を作動させる。すなわち、たとえば、内部結露センサ１２によって湿度が所定値より高いと検出された際に、制御部１８は呼吸口１３を開きつつ、換気扇１４を作動させる。これにより、換気扇１４より筐体１１内部の空気を筐体１１の外部へ強制的に排出することができる。この結果、筐体１１内の湿度をさらに低減し、筐体１１内の結露の発生をさらに抑制し、結露をさらに低減することができる。したがって、蓄電システム１０００によれば、さらに高い安全性および信頼性を発揮することができる。
【００５９】
本発明の第１の実施の形態における蓄電システム１０００は、加熱部１５を備えている。加熱部１５は、筐体１１内の空気を加熱する。制御部１８は、内部結露センサ１２の検出結果に基づいて、呼吸口１３を開き、加熱部１５を作動させる。
【００６０】
このように、制御部１８は、内部結露センサ１２の検出結果に基づいて、呼吸口１３を開き、加熱部１５を作動させる。すなわち、たとえば、内部結露センサ１２によって湿度が所定値より高いと検出された際に、制御部１８は呼吸口１３を開きつつ、加熱部１５を作動させる。これにより、筐体１１内の水蒸気を加熱することができ、一部の水蒸気を蒸発させることができる。この結果、筐体１１内の水蒸気を低減しつつ、効率よく鉛直方向Ｇの上方に設けられた呼吸口１３へ筐体１１内の水蒸気を誘導することができる。したがって、筐体１１内の水蒸気が、より効率よく呼吸口１３から筐体１１の外へ排出される。この結果、筐体１１内の湿度をさらに低減し、筐体１１内の結露の発生をさらに抑制し、結露をさらに低減することができる。したがって、蓄電システム１０００によれば、さらに高い安全性および信頼性を発揮することができる。
【００６１】
本発明の第１の実施の形態における蓄電システム１０００は、換気扇１４と、加熱部１５を備えている。換気扇１４を備えている。換気扇１４は、呼吸口１３に取り付けられ、筐体１１内の空気を筐体１１外へ排出する。加熱部１５は、筐体１１内の空気を加熱する。制御部１８は、内部結露センサ１２の検出結果に基づいて、呼吸口１３を開き、換気扇１４を作動させ、加熱部１５を作動させる。
【００６２】
このように、制御部１８は、内部結露センサ１２の検出結果に基づいて、呼吸口１３を開き、換気扇１４を作動させ、加熱部１５を作動させる。すなわち、たとえば、内部結露センサ１２によって湿度が所定値より高いと検出された際に、制御部１８は呼吸口１３を開きつつ、換気扇１４を作動させ、加熱部１５を作動させる。これにより、加熱部１５により、筐体１１内の水蒸気を加熱することができ、一部の水蒸気を蒸発させることができる。この結果、筐体１１内の水蒸気を加熱することができ、一部の水蒸気を蒸発させることができる。よって、筐体１１内の水蒸気を低減しつつ、効率よく鉛直方向Ｇの上方に設けられた呼吸口１３へ筐体１１内の水蒸気を誘導することができる。また、換気扇１４より、筐体１１内部の空気を筐体１１の外部へ強制的に排出することができる。この結果、加熱部１５により誘導された水蒸気を効率よく筐体１１の外へ排出することができる。したがって、筐体１１内の湿度をさらに低減し、筐体１１内の結露の発生をさらに抑制し、結露をさらに低減することができる。したがって、蓄電システム１０００によれば、さらに高い安全性および信頼性を発揮することができる。
【００６３】
本発明の第１の実施の形態における蓄電システム１０００において、加熱部１５は、筐体１１内であって、蓄電池５１の鉛直方向Ｇの下方に設けられている。加熱部１５により加熱された空気は、筐体１１内で、鉛直方向Ｇの下方側から上方側へ向けて上昇する。このため、加熱部１５を蓄電池１５の鉛直方向Ｇの下方側に配置することにより、加熱部１５により加熱された空気を蓄電池５１に効率よく供給することができる。この結果、筐体１１内の湿度をさらに低減し、筐体１１内の結露の発生をさらに抑制し、結露をさらに低減することができる。
【００６４】
本発明の第１の実施の形態における蓄電システム１０００において、呼吸口１３は、筐体１１の鉛直上方側に設けられている。これにより、筐体１１内で温度上昇された空気は、鉛直方向Ｇの下方側から上方側へ上昇する。このため、呼吸口１３を筐体１１の鉛直方向Ｇの上方側に設けることにより、呼吸口１３を介して、筐体１１内で温度上昇された空気を効率よく筐体１１の外へ排出することができる。
【００６５】
本発明の第１の実施の形態における蓄電システム１０００において、蓄電池５１の電極（プラス電極５１１、マイナス電極５１２）は、撥水性を有する部材により、形成されている。これにより、蓄電池５１が漏電することを抑制することができる。
【００６６】
本発明の第１の実施の形態における蓄電システム１０００において、筐体１１は、複数の蓄電池５１を密閉して収容する。蓄電池５１の各々を接続する電極接続部材５２は、撥水性を有する部材により、形成されている。これにより、蓄電池５１が漏電することを抑制することができる。
【００６７】
本発明の第１の実施の形態における蓄電システム１０００は、制御基板（不図示）を備えている。制御基板は、撥水性および絶縁性を有する部材により、被覆されている。制御基板には、たとえば制御部１８等の機能を発揮する電子部品が、実装されている。撥水性および絶縁性を有する部材により、制御基板を被覆することにより、制御基板上で漏電が生じることを抑止することができる。
【００６８】
また、本発明の第１の実施の形態における蓄電制御方法は、内部結露検出ステップと、呼吸口開閉ステップとを含んでいる。内部結露検出ステップでは、蓄電池５１を密閉して収容する筐体１１内の結露に関する情報を検出する。呼吸口開閉ステップでは、内部結露検出ステップの検出結果に基づいて、筐体１１に開閉可能に設けられた呼吸口１３を開閉する。この蓄電制御方法によっても、前述した蓄電システム１０００と同様の効果を奏することができる。
【００６９】
本発明の第１の実施の形態における蓄電制御プログラムは、内部結露検出ステップと、呼吸口開閉ステップとを含む処理をコンピュータに行わせる。この蓄電制御プログラムによっても、前述した蓄電システム１０００と同様の効果を奏することができる。
【００７０】
本発明の第１の実施の形態における記憶媒体は、内部結露検出ステップと、呼吸口開閉ステップとを含む処理をコンピュータに行わせる蓄電制御プログラムを記憶する。この記憶媒体によっても、前述した蓄電システム１０００と同様の効果を奏することができる。
【００７１】
＜第２の実施の形態＞
図３は、本発明の第２の実施の形態における蓄電システム１０００Ａの構成を模式的に示す透過図である。図３には、鉛直方向Ｇを示す。
【００７２】
図３に示されるように、蓄電システム１０００Ａは、筐体１１と、内部結露センサ１２と、呼吸口１３と、換気扇１４と、加熱部１５と、内部温度センサ１６と、外部温度センサ１７と、制御部１８と、防水シール１９と、外部結露センサ２０と、スイッチＳＷ１と、スイッチＳＷ２とを備えている。また、筐体１１内には、蓄電池ユニット５００が搭載されている。
【００７３】
ここで、図１と図３を対比する。図３では、外部結露センサ２０が設けられている点で、図１と相違する。
【００７４】
図３に示されるように、外部結露センサ２０は、筐体１１外に設けられている。外部結露センサ１２は、制御部１８に接続されている。外部結露センサ２０は、制御部１８の制御の下で、筐体１１外の結露に関する情報（たとえば、湿度）を検出する。なお、外部結露センサ２０は、本発明の外部結露検出部に対応する。
【００７５】
以上、蓄電システム１０００Ａの構成について、説明した。
【００７６】
つぎに、蓄電システム１０００Ａの動作について、説明する。
【００７７】
図４は、本発明の第２の実施の形態における蓄電システム１０００Ａの動作フローを示す図である。
【００７８】
図４に示されるように、まず、筐体１１の内外の温度を計測する（Ｓ１）。具体的な処理内容は、図２を用いて説明した通りである。
【００７９】
つぎに、図４に示されるように、外部結露センサ２０の情報を入手する（Ｓ１７）。具体的には、制御部１８が、外部結露センサ２０に対して、筐体１１外の結露（たとえば、湿度）に関する情報を検出させる指示を出力する。そして、外部結露センサ２０が、制御部１８の指示に従って、筐体１１外の結露の関する情報を検出し、検出結果を制御部１８へ出力する。そして、制御部１８は、予め指定された第２の規定値と、外部結露センサ２０の検出結果とを比較する（Ｓ１８、Ｓ１９）。なお、この第２の規定値には、たとえば、湿度８５％〜９５％が、用いられる。
【００８０】
外部結露センサ２０の検出結果が第２の規定値よりも高い場合（Ｓ１９）、制御部１８が、加熱部１５に対して、ＳＷ２を使って、作動させる指示を出力する（Ｓ２０）。加熱部１５は、制御部１８の指示に従って、作動する。これにより、筐体１１内の水蒸気を加熱することができ、一部の水蒸気を蒸発させることができる。この結果、筐体１１内の水蒸気を低減することができる。
【００８１】
一方、外部結露センサ２０の検出結果が第２の規定値よりも低い場合（Ｓ１８）、蓄電システム１０００Ａは図２のＳ２以降の処理を行う。
【００８２】
つぎに、Ｓ２０の処理後、内部温度センサ１６が、筐体１１の内部の温度を検出する（Ｓ２１）。そして、制御部１８は、予め指定された第３の規定値と、内部温度センサ１６の検出結果とを比較する（Ｓ２２、Ｓ２３）。なお、この第３の規定値には、たとえば、温度１０℃〜２５℃が、用いられる。
【００８３】
内部温度センサ１６の検出結果が第３の規定値よりも高い場合（Ｓ２３）、蓄電システム１０００Ａは図２のＳ２以降の処理を行う。
【００８４】
一方、内部温度センサ１６の検出結果が第３の規定値よりも低い場合（Ｓ２２）、蓄電システム１０００ＡはＳ２０の処理を行う。
【００８５】
なお、本実施の形態において、換気扇１４は、必ずしも必須ではない。この場合、図２のＳ８〜Ｓ１０を省略することができる。
【００８６】
以上、蓄電システム１０００Ａの動作について、説明した。
【００８７】
以上の通り、本発明の第２の実施の形態における蓄電システム１０００Ａは、加熱部１５と、外部結露センサ２０とを備えている。加熱部１５は、筐体１１内の空気を加熱する。外部結露センサ２０は、筐体１１外の結露に関する情報を検出する。制御部１８は、外部結露センサ２０の検出結果に基づいて、加熱部１５を動作させた後に、内部結露センサ１２の検出結果に基づいて、呼吸口１３を開く。
【００８８】
このように、制御部１８は、内部結露センサ１２の検出結果に基づいて呼吸口１３を開く前に、外部結露センサ２０の検出結果に基づいて加熱部１５を動作させる。これにより、内部結露センサ１２の検出結果に基づいた制御の前に筐体１１内の湿度を低減することができる。この結果、筐体１１内の結露の発生をさらに抑制し、結露をさらに低減することができる。したがって、蓄電システム１０００によれば、さらに高い安全性および信頼性を発揮することができる。
【００８９】
また、本発明の第２の実施の形態における蓄電システム１０００Ａは、加熱部１５と、外部結露センサ２０と、換気扇１４とを備えている。加熱部１５は、筐体１１内の空気を加熱する。外部結露センサ２０は、筐体１１外の結露に関する情報を検出する。換気扇１４は、呼吸口１３に取り付けられ、筐体１１内の空気を筐体１１外へ排出する。制御部１８は、外部結露センサ２０の検出結果に基づいて、加熱部１５を動作させた後に、内部結露センサ１２の検出結果に基づいて、呼吸口１３を開き、換気扇１４を作動させる。
【００９０】
このように、制御部１８は、内部結露センサ１２の検出結果に基づいて呼吸口１３を開いて換気扇１４を動作させる前に、外部結露センサ２０の検出結果に基づいて加熱部１５を動作させる。これにより、内部結露センサ１２の検出結果に基づいた制御の前に筐体１１内の湿度を低減することができる。この結果、筐体１１内の結露の発生をさらに抑制し、結露をさらに低減することができる。したがって、蓄電システム１０００によれば、さらに高い安全性および信頼性を発揮することができる。
【００９１】
＜第３の実施の形態＞
図５は、本発明の第３の実施の形態における蓄電システム１０００Ｂの構成を模式的に示す透過図である。図５には、鉛直方向Ｇを示す。
【００９２】
図５に示されるように、蓄電システム１０００Ｂは、筐体１１と、内部結露センサ１２と、呼吸口１３と、換気扇１４と、加熱部１５と、内部温度センサ１６と、外部温度センサ１７と、制御部１８と、防水シール１９と、水位センサ２１と、ドレイン２２と、スイッチＳＷ１と、スイッチＳＷ２とを備えている。また、筐体１１内には、蓄電池ユニット５００が搭載されている。
【００９３】
ここで、図１と図５を対比する。図５では、水位センサ２１およびドレイン２２が設けられている点で、図１と相違する。
【００９４】
図１に示されるように、水位センサ２１は、筐体１１内に設けられている。水位センサ２１は、筐体１１の鉛直方向Ｇの下方に溜まる溜水の水位を検知する。水位センサ２１は、本発明の水位検出部に対応する。
【００９５】
図１に示されるように、ドレイン２２は、筐体１１の鉛直方向Ｇの下方側に開閉可能に設けられている。ドレイン２２は、溜水を筐体１１内か筐体１１外へ排出する。
【００９６】
なお、制御部１８は、新たな機能として、水位センサ２１の検出結果に基づいて、ドレイン２２を開閉する。
【００９７】
以上、蓄電システム１０００Ｂの構成について、説明した。
【００９８】
つぎに、蓄電システム１０００Ｂの動作について、説明する。
【００９９】
図６は、本発明の第３の実施の形態における蓄電システム１０００Ｂの動作フローを示す図である。
【０１００】
なお、本発明の第３の実施の形態における蓄電システム１０００Ｂでは、図６に示されたフローとは別に、図２に示されたフローを独自に実施される。
【０１０１】
図６に示されるように、まず、蓄電システム１０００Ｂは、筐体１１内に溜まる溜水の水位を検出する（Ｓ２４）。具体的には、制御部１８が、水位センサ２１に対して、筐体１１内に溜まる溜水の水位を検出させる指示を出力する。そして、水位２１が、制御部１８の指示に従って、筐体１１内に溜まる溜水の水位を検出する。そして、制御部１８は、予め指定された第４の規定値と、水位センサ２１の検出結果とを比較する（Ｓ２５、Ｓ２６）。なお、この第４の規定値には、たとえば、筐体１１の内側の底面を基準とした所定の高さが設定される。
【０１０２】
水位センサ２１の検出結果が第４の規定値よりも高い場合（Ｓ２６）、制御部１８が、ドレイン２２に対して、閉じさせる指示を出力する（Ｓ２７）。ドレイン２２は、制御部１８の指示に従って、閉じられる。これにより、筐体１１内に溜まった溜水を筐体１１の外へ排出することができる。
【０１０３】
一方、水位センサ２１の検出結果が第４の規定値よりも低い場合（Ｓ２５）、制御部１８が、ドレイン２２に対して、開けさせる指示を出力する（Ｓ２８）。ドレイン２２は、制御部１８の指示に従って、開かれる。
【０１０４】
以上、蓄電システム１０００Ｂの動作について、説明した。
【０１０５】
以上の通り、本発明の第３の実施の形態における蓄電システム１０００Ｂは、水位センサ２１と、ドレイン２２とを備えている。水位センサ２１は、筐体１１内に溜まる溜水の水位を検知する。ドレイン２２は、筐体１１の鉛直下方に開閉可能に設けられ、溜水を筐体１１内から筐体１１外へ排出する。制御部１８は、水位センサ２１の検出結果に基づいて、ドレイン２２を開閉する。
【０１０６】
このように、制御部１８は、水位センサ２１の検出結果に基づいて、ドレイン２２を開閉する。たとえば、水位センサ２１の検出結果が所定の第４の規定値よりも高い場合、制御部１８は、ドレイン２２に対して、開く指示を出力する。そして、ドレイン２２は、制御部１８の指示に従って、開かれる。そして、ドレイン２２は、溜水を筐体１１内から筐体１１外へ排出する。これにより、筐体１１内に溜まった溜水を筐体１１外へ排出することができる。したがって、蓄電システム１０００によれば、さらに高い安全性および信頼性を発揮することができる。
【０１０７】
＜第４の実施の形態＞
図７は、本発明の第４の実施の形態における蓄電システム１０００Ｃの構成を模式的に示す透過図である。図７には、鉛直方向Ｇを示す。
【０１０８】
図７に示されるように、蓄電システム１０００Ｃは、筐体１１と、内部結露センサ１２と、呼吸口１３と、制御部１８とを備えている。また、筐体１１内には、１セルの蓄電池１１が搭載されている。
【０１０９】
図７に示されるように、筐体１１は、少なくとも蓄電池５１を密閉して収容する。ここでは、筐体１１は、蓄電池５１と、内部結露センサ１２と、制御部１８とを密閉して収容する。
【０１１０】
図７に示されるように、内部結露センサ１２は、筐体１１内に収容されている。内部結露センサ１２は、制御部１８に接続されている。内部結露センサ１２は、制御部１８の制御の下で、筐体１１内の結露に関する情報（たとえば、湿度）を検出する。なお、内部結露センサ１２は、本発明の内部結露検出部に対応する。
【０１１１】
図７に示されるように、呼吸口１３は、筐体１１に開閉可能に設けられている。呼吸口１３の開閉は、制御部１８により、制御される。吸気口１３は、筐体１１の鉛直方向Ｇの上方側に設けられている。これにより、吸気口１３を開いたときに、筐体１１内の暖気を効率よく筐体１１の外へ排出することができる。呼吸口１３は、たとえば、逆止弁により構成されている。
【０１１２】
図７に示されるように、制御部１８は、筐体１１内に収容されている。制御部１８は、内部結露センサ１２および呼吸口１３に、接続されている。たとえば、制御部１８は、各部を制御する。制御部１８は、内部結露センサ１２の検出結果に基づいて、呼吸口１３を開閉する。
【０１１３】
図８は、本発明の第４の実施の形態における蓄電システム１０００Ｃの動作フローを示す図である。
【０１１４】
図８に示されるように、蓄電システム１００Ｃは、内部結露センサ１２の情報を入手する（Ｓ２）。具体的には、制御部１８が、内部結露センサ１２に対して、筐体１１内の結露（たとえば、湿度）に関する情報を検出させる指示を出力する。そして、内部結露センサ１２が、制御部１８の指示に従って、筐体１１内の結露の関する情報を検出し、検出結果を制御部１８へ出力する。そして、制御部１８は、予め指定された第１の規定値と、内部結露センサ１２の検出結果とを比較する（Ｓ３、Ｓ４）。なお、この第１の規定値には、結露が実際に発生する前段階の湿度（たとえば、湿度７５〜８５％）が、用いられる。
【０１１５】
内部結露センサ１２の検出結果が第１の規定値よりも高い場合（Ｓ４）、制御部１８が、呼吸口１３に対して、呼吸口１３を開く指示を出力する（Ｓ５）。呼吸口１３は、制御部１８の指示に従って、開かれる。これにより、筐体１１の内外の空気を入れ換える準備が完了する。そして、筐体１１内の水蒸気が、呼吸口１３から筐体１１の外へ排出される。この結果、筐体１１内の結露の発生を抑制し、結露を低減することができる。
【０１１６】
一方、内部結露センサ１２の検出結果が第１の規定値よりも低い場合（Ｓ３）、蓄電システム１０００は、Ｓ２の処理を繰り返す。
【０１１７】
Ｓ５の処理後、内部結露センサ１２の検出結果が第１の規定値よりも低くなると（Ｓ１２）、制御部１８は、呼吸口１３を閉じて（Ｓ１５）、湿度制御を終了する（Ｓ１６）。具体的には、制御部１８が、呼吸口１３に対して、呼吸口１３を閉じる指示を出力する。呼吸口１３は、制御部１８の指示に従って、閉じられる。
【０１１８】
以上、蓄電システム１０００Ｃの動作について、説明した。
【０１１９】
以上の通り、本発明の第４の実施の形態における蓄電システム１０００は、筐体１１と、内部結露センサ１２（内部結露検出部）と、呼吸口１３と、制御部１８を備えている。筐体１１は、蓄電池５１を密閉して収容する。内部結露センサ１２は、筐体１１内の結露に関する情報（たとえば、湿度）を検出する。呼吸口１３は、筐体１１に開閉可能に設けられている。制御部１８は、内部結露センサ１２の検出結果に基づいて、呼吸口１３を開閉する。
【０１２０】
このように、内部結露センサ１２は、筐体１１内の結露に関する情報を検出する。呼吸口１３は、筐体１１に開閉可能に設けられている。そして、制御部１８は、内部結露センサ１２の検出結果に基づいて、呼吸口１３を開閉する。すなわち、たとえば、内部結露センサ１２によって湿度が所定値より高いと検出された際に、制御部１８は呼吸口１３を開く。この結果、筐体１１内の湿度を低減し、筐体１１内の結露の発生を抑制し、結露を低減することができる。したがって、蓄電システム１０００によれば、高い安全性および信頼性を発揮することができる。
【０１２１】
なお、各実施形態の蓄電池５１は、任意のコンピュータのＣＰＵ（Central Processing Unit）、メモリ、メモリにロードされたプログラム、そのプログラムを格納するハードディスク等の記憶ユニット、ネットワーク接続用インターフェースを中心にハードウェアとソフトウェアの任意の組合せによって実現される。前記プログラムは、あらかじめ装置を出荷する段階からメモリ内に格納されているプログラムのほか、ＣＤ（Compact Disc）等の記憶媒体やインターネット上のサーバ等からダウンロードされたプログラムも含む。そして、その実現方法、装置にはいろいろな変形例があることは、当業者には理解されるところである。
【０１２２】
また、各実施形態の説明において利用する機能ブロック図は、ハードウェア単位の構成ではなく、機能単位のブロックを示している。これらの図においては、各部は１つの機器により実現されるよう記載されているが、その実現手段はこれに限定されない。すなわち、物理的に分かれた構成であっても、論理的に分かれた構成であっても構わない。
【０１２３】
上記の実施形態の一部又は全部は、以下の付記のようにも記載されうるが、以下には限られない。
（付記１）
蓄電池を密閉して収容する筐体と、
前記筐体内の結露に関する情報を検出する内部結露検出部と、
前記筐体に開閉可能に設けられた呼吸口と、
前記内部結露検出部の検出結果に基づいて、前記呼吸口を開閉する制御部を備えた蓄電システム。
（付記２）
前記呼吸口に取り付けられ、前記筐体内の空気を前記筐体外へ排出する換気扇を備え、
前記制御部は、前記内部結露検出部の検出結果に基づいて、前記呼吸口を開き、前記換気扇を作動させる付記１に記載の蓄電システム。
（付記３）
前記筐体内の空気を加熱する加熱部を備え、
前記制御部は、前記内部結露検出部の検出結果に基づいて、前記呼吸口を開き、前記加熱部を作動させる付記１に記載の蓄電システム。
（付記４）
前記呼吸口に取り付けられ、前記筐体内の空気を前記筐体外へ排出する換気扇と、
前記筐体内の空気を加熱する加熱部を備え、
前記制御部は、前記内部結露検出部の検出結果に基づいて、前記呼吸口を開き、前記換気扇を作動させ、前記加熱部を作動させる付記１に記載の蓄電システム。
（付記５）
前記筐体内の空気を加熱する加熱部と、
前記筐体外の結露に関する情報を検出する外部結露検出部とを備え、
前記制御部は、前記外部結露検出部の検出結果に基づいて、前記加熱部を動作させた後に、前記内部結露検出部の検出結果に基づいて、前記呼吸口を開く付記１に記載の蓄電システム。
（付記６）
前記筐体内の空気を加熱する加熱部と、
前記筐体外の結露に関する情報を検出する外部結露検出部と、
前記呼吸口に取り付けられ、前記筐体内の空気を前記筐体外へ排出する換気扇とを備え、
前記制御部は、前記外部結露検出部の検出結果に基づいて、前記加熱部を動作させた後に、前記内部結露検出部の検出結果に基づいて、前記呼吸口を開き、前記換気扇を作動させる付記１に記載の蓄電システム。
（付記７）
前記筐体内に溜まる溜水の水位を検知する水位検出部と、
前記筐体の鉛直下方に開閉可能に設けられ、前記溜水を前記筐体内か前記筐体外へ排出するドレインとを備え、
前記制御部は、前記水位検出部の検出結果に基づいて、前記ドレインを開閉する付記１〜６のいずれか１項に記載の蓄電システム。
（付記８）
前記加熱部は、前記筐体内であって、前記蓄電池の鉛直下方に設けられている付記３〜６のいずれか１項に記載の蓄電システム。
（付記９）
前記呼吸口は、前記筐体の鉛直上方側に設けられている付記１〜８のいずれか１項に記載の蓄電システム。
（付記１０）
前記蓄電池の電極は、撥水性を有する部材により、形成されている請求項１〜９のいずれか１項に記載の蓄電システム。
（付記１１）
前記筐体は、複数の前記蓄電池を密閉して収容し、
前記蓄電池の各々を接続する電極接続部材は、撥水性を有する部材により、形成されている付記１〜９のいずれか１項に記載の蓄電システム。
（付記１２）
前記蓄電池状態を監視するための制御基板を備え、
前記制御基板は、撥水性および絶縁性を有する部材により、被覆されている付記１〜１０のいずれか１項に記載の蓄電システム。
（付記１３）
蓄電池を密閉して収容する筐体内の結露に関する情報を検出する内部結露検出ステップと、
前記内部結露検出ステップの検出結果に基づいて、前記筐体に開閉可能に設けられた呼吸口を開閉する呼吸口開閉ステップとを含む蓄電制御方法。
（付記１４）
蓄電池を密閉して収容する筐体内の結露に関する情報を検出する内部結露検出ステップと、
前記内部結露検出ステップの検出結果に基づいて、前記筐体に開閉可能に設けられた呼吸口を開閉する呼吸口開閉ステップとを含む処理をコンピュータに行わせる蓄電制御プログラム。
（付記１５）
蓄電池を密閉して収容する筐体内の結露に関する情報を検出する内部結露検出ステップと、
前記内部結露検出ステップの検出結果に基づいて、前記筐体に開閉可能に設けられた呼吸口を開閉する呼吸口開閉ステップとを含む処理をコンピュータに行わせる蓄電制御プログラムを記憶する記憶媒体。
【０１２４】
以上、実施の形態をもとに本発明を説明した。実施の形態は例示であり、本発明の主旨から逸脱しない限り、上述各実施の形態に対して、さまざまな変更、増減、組合せを加えてもよい。これらの変更、増減、組合せが加えられた変形例も本発明の範囲にあることは当業者に理解されるところである。
【符号の説明】
【０１２５】
１１    筐体
１２    内部結露センサ
１３    呼吸口
１４    換気扇
１５    加熱部
１６    内部温度センサ
１７    外部温度センサ
１８    制御部
１９    防水シール
２０    外部結露センサ
２１    水位センサ
２２    ドレイン
５１    蓄電池
５１１    プラス電極
５１２    マイナス電極
５２    電極接続部材
５３    プラス（＋）端子
５４    マイナス（−）端子
５００    蓄電池ユニット
１０００    蓄電システム
１０００Ａ    蓄電システム
１０００Ｂ    蓄電システム
ＳＷ１    スイッチ
ＳＷ２    スイッチ
ＳＷ３    スイッチ
【図１】
2017068941.tif 000003
【図２】
2017068941.tif 000004
【図３】
2017068941.tif 000005
【図４】
2017068941.tif 000006
【図５】
2017068941.tif 000007
【図６】
2017068941.tif 000008
【図７】
2017068941.tif 000009
【図８】
2017068941.tif 000010